(57)【要約】【課題】１個の椅子で様々な形態に変化させて、いろいろな楽しみ方のできる椅子を提供する。【解決手段】天板４の裏面側に起倒可能に設けた脚部６，７と、天板４の後部に設けた背もたれ５と、天板４の上面に分離可能に載置することができるシートクッション２と、背もたれ５に分離可能に置くことができる背もたれクッション３とからなる。前記天板４と背もたれ５を複数人が着座できる長椅子状に形成し、前記シートクッション２と前記背もたれクッション３を、それぞれ天板４の長手方向において複数個に分割する。【選択図】　　　　　図８
0003097695.tif 000002
【実用新案登録請求の範囲】
【請求項１】
背もたれを有する天板を、床面に近接した位置と、該位置より高い位置とに変位できるようにしたことを特徴とする椅子。
【請求項２】
天板と、該天板の裏面側に起倒可能に設けた脚部と、天板の後部に設けた背もたれとからなることを特徴とする椅子。
【請求項３】
天板と、該天板の裏面側に起倒可能に設けた脚部と、天板の後部に設けた背もたれと、天板の上面に分離可能に載置することができるシートクッションと、背もたれに分離可能に置くことができる背もたれクッションとからなることを特徴とする椅子。
【請求項４】
前記天板と背もたれを複数人が着座できる長椅子状に形成し、前記シートクッションと前記背もたれクッションを、それぞれ天板の長手方向において複数個に分割した請求項３記載の椅子。
【請求項５】
前記複数個のシートクッションと前記複数個の背もたれクッションを、選択的に所望の位置に置いて使用する請求項４記載の椅子。
【請求項６】
前記脚部を、天板の裏面の両側部に設けるとともに該脚部を起立状態と天板の裏面に沿った倒伏状態に変位できるようにし、その起立状態と倒伏状態の位置を保持する脚部保持手段を設けた請求項２乃至５のいずれかに記載の椅子。
【請求項７】
前記背もたれクッションにおける下端側の奥行きを、シートクッションを天板上に載置するとともに脚部を天板の裏面に倒伏して天板部を床に置いた状態における床面とシートクッション上面との高さと略同等に設定した請求項３乃至６のいずれかに記載の椅子。
【考案の詳細な説明】
【０００１】
【考案の属する技術分野】
本考案は椅子に関する。
【０００２】
【従来の技術】
従来、長椅子において、その支脚が起立状態で固定され、座部にシートクッションが固着され、背もたれ部に背もたれクッションが固着されたものが一般的に知られている。
【０００３】
【考案が解決しようとする課題】
前記従来のような椅子においては、固定された１つの形態であるため、その椅子をいろいろな形態に変形して使用することはできない。
【０００４】
そこで本考案は、１個の椅子を、使用者の使用目的に応じた形態に変形ができる椅子を提供することを目的とするものである。
【０００５】
【課題を解決するための手段】
前記の課題を解決するために、請求項１記載の考案は、背もたれを有する天板を、床面に近接した位置と、該位置より高い位置とに変位できるようにしたことを特徴とする椅子である。
【０００６】
請求項２記載の考案は、天板と、該天板の裏面側に起倒可能に設けた脚部と、天板の後部に設けた背もたれとからなることを特徴とする椅子である。
【０００７】
請求項３記載の考案は、天板の裏面側に起倒可能に設けた脚部と、天板の後部に設けた背もたれと、天板の上面に分離可能に載置することができるシートクッションと、背もたれに分離可能に置くことができる背もたれクッションとからなることを特徴とする椅子である。
【０００８】
請求項４記載の考案は、前記請求項３記載の考案において、前記天板と背もたれを複数人が着座できる長椅子状に形成し、前記シートクッションと前記背もたれクッションを、それぞれ天板の長手方向において複数個に分割したものである。
【０００９】
請求項５記載の考案は、前記請求項４記載の考案において、前記複数個のシートクッションと前記複数個の背もたれクッションを、選択的に所望の位置に置いて使用するものである。
【００１０】
請求項６記載の考案は、前記請求項２乃至５のいずれかに記載の考案において、前記脚部を、天板の裏面の両側部に設けるとともに該脚部を起立状態と天板の裏面に沿った倒伏状態に変位できるようにし、その起立状態と倒伏状態の位置を保持する脚部保持手段を設けたものである。
【００１１】
請求項７記載の考案は、前記請求項３乃至６のいずれかに記載の考案において、前記背もたれクッションにおける下端側の奥行きを、シートクッションを天板上に載置するとともに脚部を天板の裏面に倒伏して天板部を床に置いた状態における床面とシートクッション上面との高さと略同等に設定したものである。
【００１２】
【考案の実施の形態】
本考案の好ましい実施の形態を図に示す実施例に基づいて説明する。
【００１３】
図に示す実施例の椅子は、図１に示す椅子本体１と、図２（ａ）に示すシートクッション２と図２（ｂ）に示す背もたれクッション３とからなる。
【００１４】
椅子本体１はシート部を形成する、例えば木板からなる天板（板座）４と、該天板４の後部に立設した、例えば木製の背もたれ５と、天板４の両側下面に起倒可能（折り畳み可能）に付設した、例えば木製の一対の脚部６，７とからなる。
【００１５】
前記天板４と背もたれ５は、１人掛け用の長さでも良いが、複数人掛けの長椅子が望ましい。実施例では２人掛け用の長さに形成され、天板４と背もたれ５の左右方向の長さは略同長に形成されている。
【００１６】
前記一方の脚部６は、図１及び図３に示すように、前後の脚８，８と、これらを連結する上部連結貫９と、下部連結貫１０からなる門型形状に形成されている。該脚部６は、前記天板４の裏面における側部に、前後方向に沿って配置されており、かつ、図３及び図４に示すようにヒンジ１１により、天板４の左右方向の内側へ、すなわち、図１及び図４に示す矢印Ａ方向へ倒して折り畳んだり、この折り畳み状態から起立できるように、天板４の裏面に回転可能に備えられている。
【００１７】
更に、天板４の裏面には、天板４の前後方向における脚８の外側に位置して、保持板１２が、脚８の起倒方向に沿って固設されている。
【００１８】
また、脚８には、前記保持板１２側に面してストッパ１３が出没可能に設けられているとともに、バネ１４により突出方向へ常時付勢されている。
【００１９】
また、前記保持板１２の内面側、すなわち、前記ストッパ１３と対向する面には、図４に示すように脚８が起立したときにストッパ１３が嵌合する第１の凹部１５と、図７に示すように脚８が折り畳まれて倒伏したときにストッパ１３が嵌合する第２の凹部１６が形成されている。したがって、図４の脚８の起立状態ではストッパ１３が第１の凹部１５に嵌合してその脚８の起立状態が保持され、この状態から手動により脚８を矢印Ａ方向へ倒すと、ストッパ１３が保持板１２の内面によりバネ１４に抗して没入し、脚８を倒すことができ、脚８が図７に示すように倒伏されてストッパ１３が第２の凹部１６に位置すると、ストッパ１３がバネ１４の付勢力によって第２の凹部１６内に突入嵌合し、その脚８の倒伏状態を保持できるようになっている。
【００２０】
前記の脚８の倒伏状態から起立させる場合も前記と同様のストッパ１３の作用により起立して、その起立状態を保持できる。
【００２１】
前記脚部６の上部連結杆９には脚固定用ボルト１７が図４に示すように設けられており、脚８を図４に示すように起立させた状態で、この脚固定用ボルト１７を回転し、天板４の裏面に固設した脚固定用ナット１８に螺合することにより、脚部６の起立状態を強固に保持するようになっている。
【００２２】
したがって、脚部６は起立状態と天板４の裏面に接する倒伏状態（折り畳み状態）とに変位でき、かつ、この起立状態と倒伏状態を保持できるようになっている。
【００２３】
なお、前記の保持板１２、ストッパ１３、バネ１４、第１の凹部１５、第２の凹部１６、脚固定用ボルト１７、脚固定用ナット１８からなる脚部保持手段１９は、脚部６の前後の脚８，８の上部に設けられている。
【００２４】
また、他方の脚部７も前記脚部６と同様の構造により起倒可能で、かつ、その起立状態と倒伏状態が保持できるようになっている。
【００２５】
なお、前記両脚部６，７の起立状態と倒伏状態を保持する脚部保持手段１９は前記実施例の構造に限るものではなく、その他の構造により構成しても良い。
【００２６】
また、天板４の裏面の四隅部には、前記の脚部６，７を、図５乃至図７に示すように折り畳んだ場合に、図６に示すように床Ｆに接する足２０が突設されている。
【００２７】
次に、前記シートクッション２について説明する。
シートクッション２は、前記天板４の左右方向の長さに応じて１個或いは複数個に分割して形成されている。図の実施例では、２人掛け用の天板４に合わせて、１個のシートクッション２の左右方向の長さＬ２を、天板４の左右方向の長さＬ１の略半分の長さとして、２個用意されている。このシートクッション２の厚さＤ２は、所定の長さに設定され、その前後方向において略同一厚に形成されている。
【００２８】
次に前記背もたれクッション３について説明する。
背もたれクッション３は、前記背もたれ５の左右方向の長さに応じて１個或いは複数個に分割して形成されている。図の実施例では、２人掛け用の天板４及び背もたれ５に合わせて、１個の背もたれクッション３の左右方向の長さＬ３を、天板４及び背もたれ５の左右方向の長さＬ１の略半分の長さ、すなわち、前記１個のシートクッション２の左右方向の長さＬ２と略同等に形成されている。更に、該背もたれクッション３の奥行きは、図６に示すように、その下端側３ａの奥行きＤ３を、脚部６，７を折り畳んで、かつ、天板４上にシートクッション２を載置した状態での床Ｆからシートクッション２の上面までの高さＨと略同等の長さに設定され、上端側３ｂの奥行きＤ４は前記Ｄ３よりも短く設定されている。
【００２９】
次に、図に示す実施例の椅子の使用について説明する。
先ず、図１のように、シートクッション２及び背もたれクッション３を置かない状態の椅子本体１、すなわち、天板４と両脚部６，７と背もたれ５のみの椅子の状態で、その両脚部６，７を図１に示すように起立した状態では、板座状の天板４が床面から高い通常の椅子として使用できる。
【００３０】
また、前記の状態から両脚部６，７を折り畳んで倒伏すると、図５に示すように、板座状の天板４が床面に近接した座椅子様として使用できる。
次に、前記の椅子本体１と、前記２個のシートクッション２と２個の背もたれクッション３を用いた使用形態について説明する。
【００３１】
先ず、図８に示すように脚部６，７を起立させて天板４上にシートクッション２を２個並べて載置し、背もたれ５に２個の背もたれクッション３を置くことにより、シート高さが適度な高さのリビングソファになり、図９に示すように、２人がリラックスして会話できる形態になる。
【００３２】
次に、図１０に示すように、脚部６，７を起立させて天板４上の片側に１個のシートクッション２を載置し、背もたれ５の片側に１個の背もたれクッション３を置くことにより、シートクッション２が置かれていない天板４部に飲み物の器等を置くことができ、サイドテーブル付椅子様に使用することができる。
【００３３】
次に、図１１に示すように、脚部６，７を折り畳んで、天板４上にシートクッション２を２個並べて載置し、背もたれ５に２個の背もたれクッション３を置くことにより、低い目線でゆったりテレビ等を見ることができる形態にすることができる。
【００３４】
次に、図１２に示すように、脚部６，７を折り畳んで、天板４上にシートクッション２を２個並べて載置し、１個の背もたれクッション３を背もたれ５に置き、他の背もたれクッション３を、その奥行きＤ３側である下端側３ａの面を天板４の前面と対向するようにして床上に置くことにより、この背もたれクッション３がオットマン（足載せ）のかわりになる。このとき、背もたれクッション３の下端側３ａの奥行きＤ３が床面からシートクッション２の上面までの高さＨと略同等に設定されているため、シートクッション２の上面と背もたれクッション３の上面とが連続した面となり、足を伸ばしてリラックスして読書等をする場合に良い。
【００３５】
次に、図１３に示すように、脚部６，７を折り畳んで、天板４上にシートクッション２を２個並べて載置し、１個の背もたれクッション３を前記シートクッション２上の片側に載置することにより、図１３に示すような状態で背もたれクッション３を使用でき、また、シート面が床面に近いことから、安心してくつろぐことができる。
【００３６】
次に、前記図１３の状態から他方の背もたれクッション３を図１４に示すように、その奥行きＤ３側である下端側３ａを天板４の側面と対向するようにして床上に置くことにより、一方の背もたれクッション３を枕替わりにし、他方の背もたれクッション３を延長された足載せ台と使用することができ、寝転んだ使用ができる。
【００３７】
【考案の効果】
以上のようであるから、本考案によれば、シートクッションと背もたれクッションを使用しない状態で、通常の椅子と座椅子様に変形したり、シートクッション或いは背もたれクッションを選択的に使用するとともに脚部を起立させたり倒伏させたり、更には脚部を倒伏して天板部を床に近接させた状態で、背もたれクッションを天板の前部や側部の床においたりして、様々な形態で使用することができ、いろいろな使い方で楽しむことができる。
【００３８】
シートクッションと背もたれクッションを複数個に分割することにより、更に一層様々な使用ができ、より一層使用を楽しむことができる。
【００３９】
更に、背もたれクッションの厚みを請求項７記載のように設定すると、脚部を倒伏して天板を床の近くに下げた状態で、背もたれクッションを天板の前部や側部の床に置くことにより、この背もたれクッションの上面がシートクッションの上面と連続した面となり、この背もたれクッション上に足を伸ばしてリラックスした体勢をとることができる。
【図面の簡単な説明】
【図１】本考案の椅子における椅子本体部を示す斜視図。
【図２】（ａ）は本考案におけるシートクッションの斜視図、（ｂ）は本考案の背もたれクッションを示す斜視図。
【図３】図１におけるＢ−Ｂ線断面図。
【図４】本考案の椅子における脚部の取付部と保持手段を示す斜視図。
【図５】本考案の椅子における脚部を倒伏した状態の椅子本体部を示す斜視図。
【図６】本考案の椅子において、脚部を倒伏し、シートクッションと背もたれクッションを載置した状態の側面図。
【図７】図４の状態から脚部を倒伏した状態の斜視図。
【図８】図１の状態においてシートクッションと背もたれクッションを載置した状態の斜視図。
【図９】本考案の椅子の第１使用状態を示す図。
【図１０】本考案の椅子の第２使用状態を示す図。
【図１１】本考案の椅子の第３使用状態を示す図。
【図１２】本考案の椅子の第４使用状態を示す図。
【図１３】本考案の椅子の第５使用状態を示す図。
【図１４】本考案の椅子の第６使用状態を示す図。
【符号の説明】
１　　椅子本体
２　　シートクッション
３　　背もたれクッション
４　　天板
５　　背もたれ
６，７　　脚部
８　　脚
１１　　ヒンジ
１３　　ストッパ
１５，１６　　凹部
１７　　固定用ボルト
１８　　固定用ナット
１９　　脚部保持手段
Ｄ３　　背もたれクッションの下端側の奥行き
【図１】
0003097695.tif 000003
【図２】
0003097695.tif 000004
【図３】
0003097695.tif 000005
【図４】
0003097695.tif 000006
【図５】
0003097695.tif 000007
【図６】
0003097695.tif 000008
【図７】
0003097695.tif 000009
【図８】
0003097695.tif 000010
【図９】
0003097695.tif 000011
【図１０】
0003097695.tif 000012
【図１１】
0003097695.tif 000013
【図１２】
0003097695.tif 000014
【図１３】
0003097695.tif 000015
【図１４】
0003097695.tif 000016